(57)【要約】【課題】  簡単に組み立てることができ、かつ安価であり、避難生活用としては十分な強度、耐久性、耐火性等を備えた段ボールハウスを提供する。【解決手段】  住宅の構成部材として段ボールを用いた段ボールハウスにおいて、前記段ボールハウスの少なくとも何れか一方の面に特殊塗料を塗布し、特殊塗料は、ポリウレタン樹脂からなり、このポリウレタン樹脂は、硬化速度が速いイソシアネート成分を主とする液と、ポリオール成分を主とする液とからなり、プラスチック状の保護膜となるものとした。【選択図】図４
0003140704.tif 000002
【実用新案登録請求の範囲】
【請求項１】
住宅の構成部材として段ボールを用いた段ボールハウスにおいて、
前記段ボールハウスの少なくとも何れか一方の面に特殊塗料を塗布したことを特徴とする段ボールハウス。
【請求項２】
請求項１記載の段ボールハウスにおいて、前記特殊塗料は、ポリウレタン樹脂からなり、このポリウレタン樹脂は、硬化速度が速いイソシアネート成分を主とする液と、ポリオール成分を主とする液とからなり、プラスチック状の保護膜となることを特徴とする段ボールハウス。
【請求項３】
請求項１または２記載の段ボールハウスにおいて、段ボールをパッケージ化したことを特徴とする段ボールハウス。
【考案の詳細な説明】
【技術分野】
【０００１】
この考案は、例えば仮設住宅として好適な段ボールを用いて組み立てた段ボールハウスに関する。
【背景技術】
【０００２】
一般に家屋は所定の耐震強度、耐用年数を得るために比較的高価な材料を用いて組み立てられている。
【０００３】
住宅の種類としては、通常木造家屋が多く、木材のユニットを組み合わせるなどして比較的容易に組み立てられる木造家屋、およびその組立方法が知られている。
【特許文献１】特許第２６０２５０４号
【考案の開示】
【考案が解決しようとする課題】
【０００４】
しかるに、日本は火山国であり、また、地質学的に地盤が弱く、地震を招来する断層が多く、近い将来、近畿・中部地方の直下型地震、東海地震等が起きる懸念もある。さらに、日本は毎年、夏の終りから秋にかけて南太平洋で発生し、発達した台風の進路となっており、これらによって土砂崩れや家屋の崩壊等の重大な被害が発生する。特に木造の家屋は地震等によって損壊し易い。
【０００５】
台風や地震等により生活の基盤である住宅を失う被災者の様子がテレビや新聞等で報道されるが、被災者は地域の学校などの体育館等の避難所に身を寄せ、多くの家族が雑多に同じ空間で生活の場を共有している。
【０００６】
このような共同生活は数日なら耐えられるが、長期間には人々にストレスを与え、健康を害し、精神的、肉体的障害が発症することがある。
【０００７】
従って、被災地での避難生活におけるプライバシーを守るために、通常の木造家屋にかえ、より容易に組み立て可能な仮設住宅が建造されるが、従来の一般的な仮設住宅はいわゆるプレハブ構造のものが多く、建造に多少の日数を要し、かつ外壁材として石膏ボードや木材、樹脂製パネル等の建材を用いており、それなりのコストもかかる、という課題があった。また、復旧後、仮設住宅の解体にあたっては、壁パネル等の廃棄処理にも費用を要する、という課題があった。
【０００８】
この考案は上記のことに鑑み提案されたもので、その目的とするところは、簡単に組み立てることができ、かつ安価であり、避難生活用としては十分な強度、耐久性、耐火性等を備えた段ボールハウスを提供することにある。
【課題を解決するための手段】
【０００９】
請求項１の考案は、住宅の構成部材として段ボールを用いた段ボールハウスにおいて、前記段ボールハウスの少なくとも何れか一方の面に特殊塗料を塗布したことを特徴とする。
請求項２の考案は、請求項１記載の段ボールハウスにおいて、前記特殊塗料は、ポリウレタン樹脂からなり、このポリウレタン樹脂は、硬化速度が速いイソシアネート成分を主とする液と、ポリオール成分を主とする液とからなり、プラスチック状の保護膜となることを特徴とする。
請求項３の考案は、請求項１または２記載の段ボールハウスにおいて、段ボールをパッケージ化したことを特徴とする。
【考案の効果】
【００１０】
請求項１、２記載の本考案によれば、段ボールハウスの段ボール面は特殊塗料からなるプラスチック状の保護膜で覆われているため、段ボールの強度が向上し、かつ靭性、耐衝撃性、耐磨耗性、耐食性および熱衝撃強度を備えるので、居住の条件としての安全性、耐久性、耐寒性、耐火性を有し、実用上十分な簡易住宅を得ることができる。
請求項３の本考案によれば、段ボールをパッケージ化したため、組み立ての容易な段ボールハウスとすることができる。
【考案を実施するための最良の形態】
【００１１】
以下、図面に沿って本考案の一実施例について説明する。
【実施例１】
【００１２】
図１は本考案に係る段ボールハウスの見取図の一例を示す。
【００１３】
図において、１は室内の床を構成する床材、２は洗面部分、３はトイレ、４はトイレ３のドア、５は玄関、６は玄関５のドア、７は壁部の壁材、８は窓部分である。
【００１４】
図１はあくまで見取図の一例であって、目的、用途等に応じ全体形状、各部の配置等適宜設計変更可能である。
【００１５】
この考案では、例えば床材、壁材、ドア材等のハウスの主要構成部材を特殊加工を施した段ボールを用い、例えばドア部分、窓枠部分、四畳半、六畳用の床材といった適宜の部分をユニットとし、パッケージ化し、それらを適宜組み合わせて住宅とすることができ、特殊な工具、技術力がなくても誰でも組み立てられるようにしている。
【００１６】
図２（ａ）はハウスの一例の部分組立斜視図、（ｂ）は組み立てられたハウス本体１０の上部に組み込まれる屋根の一例の斜視図を示す。
【００１７】
土台１１や基礎部分は、状況に応じ布基礎やベタ基礎等により構成される。また、柱１２は木材、鉄骨、その他の部材が用いられる。
【００１８】
室内の底部は適宜の部材で構成され、その上に設けられる床材１は段ボール製とすると組立性、重量面、価格面等で好ましい。なお、床材１は畳としても良く、段ボール製の床材１の上に畳を敷設しても良い。
【００１９】
壁材７や屋根材等も段ボールとすると簡易であり好ましい。
【００２０】
組み立てにあたっては、大きなユニットは折畳まれた状態で現場に運搬し、設置場所に土台１１を構築し、柱１２を設置し、折畳まれた段ボールであればそれを広げて壁材を設置、床部を設けて床材１を敷くなどし、これら本体上部に屋根１３を固定すれば簡単に組み立てることができる。組み立て手順としては、土台１１上に床部、床材１を設け、その後、柱１２、壁材７、屋根１３を設けるようにしても良く、状況に応じ手順は任意で良い。
【００２１】
各部の連結としては、例えばいずれか一方の部材に係合溝を設け、他方の部材に係合片を設け、相互を係合させれば容易に一体化できる。係合部分に接着剤を塗布すれば強固に一体化できる。また、部材相互の接合部に糊代を設け、接着剤を用いても良い。なお、接着剤に代え後述する特殊塗料の塗布によっても各部材相互を一体化でき、これと接着剤とを併用しても良い。
【００２２】
壁材７については、段ボールの場合、震災地で余震等に対する強度が必要であれば、図３に示すように、すじかい１４を設けるなどし段ボールの壁材７からなる壁を強化すれば良い。
【００２３】
なお、段ボールを用いた場合、耐火性、防水性、安全性、耐久性、耐寒性等に欠ける。
【００２４】
そこで、本考案では、例えば図４に示すように、パッケージ化した安価で軽い組み立て式の段ボールハウスを組み立て後、耐火性、防水性、安全性、耐久性、耐寒性等を付与する特殊塗料を塗装するようにしている。
【００２５】
本考案では、この樹脂としてポリウレタン樹脂を用いている。
【００２６】
ポリウレタン樹脂はイソシアネート化合物とポリオール化合物との反応物である。一般的に２個以上の「−ＮＣＯ」基を持つポリイソシアネート化合物は、２個以上の活性水素基を持つ化合物と反応し、三次元、網目構造を形成する高分子化合物を結成し化学的に安定した材料となる。
【００２７】
ポリウレタン樹脂は次の特徴を有している。
１  超速硬化性：数十秒で硬化、高作業、高生産性。
２  無溶剤：揮発成分がなく、作業環境に優しい。
３  膜厚：１回塗りで０．５〜４ｍｍ、垂直面へ塗布してもタレを生じない。
４  超防食性：耐水、耐薬品性に優れた防食塗膜が形成される。
５  耐候性：紫外線による劣化がほとんどない。
６  高弾性強靭塗膜：耐衝撃性、耐寒性、耐摩耗性に優れている。
【００２８】
ポリウレタン樹脂の実績
海外施工例
１  下水処理場
２  防油堤
３  貯蔵タンク：水（飲料水、中水）、薬品（酸、アルカリ）、燃料、油、肥料等
国内施工例
１  食品タンク：食品加工工場漬物タンクに採用、従来のＦＲＰ製タンクの代替として採用。老朽化した飲料水ＦＲＰ製タンクの内面コーティング。
２  廃水ピット他：化学工場の酸系廃水ピットの内面コーティング。病院廃水処理層の内面コーティング。
３  屋上防水：老朽化した工場の屋上防水としてシンダーコンクリートにコーティング。
４  化学工場床：酸、アルカリ向上の床のコーティング。液化天然ガスの気化用冷却地下水層（海水）のピット内コーティング。車両基地のコンクリートコーティング。
５  クリーンルーム：新築液晶工場クリーンルーム内、天井・壁パネル表面コーティング。官庁関係。
６  地下ピット：雨水用浄化槽の内面コーティング。
７  産業廃棄物最終処分場：ゴムシートに変わるシームレス遮水シート工法
８  工場など大屋根の改善：ストレート屋根（アスベスト）の飛散防止。鋼板製板屋根の断熱効果向上。
【００２９】
本考案では、ポリウレタン樹脂を基材としたＲＳＭ（反応スプレー成形システム）を用いている。
【００３０】
米国ＦＩＴ社において開発された「ポリウレタン、ポリウレア、ハイブリット樹脂」を用いて従来のＦＲＰ工法を飛躍的に革新した技術がＲＳＭ（反応性スプレー成形）システムである。「速硬化」ポリウレタンは２成分システムである、ポリウレタン樹脂は、従来の塗料と異なり硬化速度が早くイソシアネート成分を主とするＡ液と、ポリオール成分を主とするＢ液をそれぞれ高圧ポンプで吐出し、ノズル直前で衝突混合後噴出すると、表面で数秒以内で硬化し各種下地（木、石、コンクリート、プラスチック、金属）に対して継ぎ目のない「プラスチック状」の保護被膜を形成する。
【００３１】
この革新的なＲＳＭ（反応スプレーシステム）は、硬質コーティングから軟質エラストマー（弾性物質）までさまざまな用途に利用できる。「速硬化」材料を使うことで生産性を劇的に改善し、労務コストを低減することができる。さらにＲＳＭ材料は無溶剤型（固形分１００％）なので厳しい環境規制を満たすことができ、材料コストを低減できる。ＲＳＭシステムのその他の利点として、抜群の靭製、および耐衝撃性、耐磨耗性、耐食性と熱衝撃強度を備えることができる画期的な超速硬化コーティングシステムである。
Ｒ−ＮＣＯ（イソシアネート）＋Ｒ’−ＯＨ（ポリオール）→  Ｒ−ＮＨ−ＣＯＯ−Ｒ’（ポリウレタン）
【００３２】
以上の説明の特殊塗料１７を噴霧工法で組み立てを完了した段ボールハウス１５に塗装する。図５は、段ボール１６の少なくとも外表面に上記塗料１７を被覆した部分断面図である。なお、必要に応じ段ボール１６の内面側にも被覆しても良い。そうしてできた段ボールハウス１５は居住に当たりその課題である耐火性、防水性、安全性、耐久性、耐寒性等全てを解決できるものとなる。特に、本考案の段ボールハウスによれば災害時における被災者救護を安価なコストと緊急時に耐えうる設置時間の短縮も計れることになる。
【００３３】
また、災害時の仮設住宅という使用目的以外にも工事の臨時休憩所、連絡事務所などやペットハウス等その用途も広がる。
【００３４】
使用後、ハウスの主要構成部材は段ボール１６のため、極めて容易に解体でき、損傷が少ないものは再利用可能であり経済的である。また、廃棄する場合、焼却も可能で、廃棄処理も容易であり、経済的である。
【図面の簡単な説明】
【００３５】
【図１】本考案の段ボールハウスの見取図の一例を示す。
【図２】（ａ）は本考案の一例の段ボールハウスの部分斜視図、（ｂ）は本体に取り付けられる屋根の一例の斜視図を示す。
【図３】本考案における壁材の一強化例を示す。
【図４】本考案における段ボールハウスの一例の斜視図を示す。
【図５】本考案における段ボールハウスに特殊塗料を被覆した状態を示す部分断面図を示す。
【符号の説明】
【００３６】
１      床材
２      洗面部分
３      トイレ
４      ドア
５      玄関
６      ドア
７      壁材
８      窓
１０    ハウス本体
１１    土台
１２    柱
１３    屋根
１４    すじかい
１５    段ボールハウス
１６    段ボール
１７    特殊塗料
【図１】
0003140704.tif 000003
【図２】
0003140704.tif 000004
【図３】
0003140704.tif 000005
【図４】
0003140704.tif 000006
【図５】
0003140704.tif 000007
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
住宅の構成部材として段ボールを用いた段ボールハウスにおいて、
前記段ボールハウスの少なくとも何れか一方の面に、硬化速度が速いイソシアネート成分を主とする液と、ポリオール成分を主とする液とからなり、プラスチック状の保護膜となる特殊塗料を塗布したことを特徴とする段ボールハウス。
【請求項２】
請求項１記載の段ボールハウスにおいて、段ボールをパッケージ化したことを特徴とする段ボールハウス。
【手続補正２】
【補正対象書類名】明細書
【補正対象項目名】０００９
【補正方法】変更
【補正の内容】
【０００９】
請求項１の考案は、住宅の構成部材として段ボールを用いた段ボールハウスにおいて、前記段ボールハウスの少なくとも何れか一方の面に、硬化速度が速いイソシアネート成分を主とする液と、ポリオール成分を主とする液とからなり、プラスチック状の保護膜となる特殊塗料を塗布したことを特徴とする。
請求項２の考案は、請求項１記載の段ボールハウスにおいて、段ボールをパッケージ化したことを特徴とする。
【手続補正３】
【補正対象書類名】明細書
【補正対象項目名】００１０
【補正方法】変更
【補正の内容】
【００１０】
請求項１記載の本考案によれば、段ボールハウスの段ボール面は、硬化速度が速いイソシアネート成分を主とする液と、ポリオール成分を主とする液とからなり、プラスチック状の保護膜となる特殊塗料によるプラスチック状の保護膜で覆われているため、段ボールの強度が向上し、かつ靭性、耐衝撃性、耐磨耗性、耐食性および熱衝撃強度を備えるので、居住の条件としての安全性、耐久性、耐寒性、耐火性を有し、実用上十分な簡易住宅を得ることができる。
請求項２の本考案によれば、段ボールをパッケージ化したため、組み立ての容易な段ボールハウスとすることができる。